(57)【要約】      （修正有）【課題】傘をさす際、両手を空けることができる手ぶら傘を提供する。【解決手段】傘骨と布からなる傘本体と、前記傘本体を支える複数の接続傘骨３１とにより、手ぶら傘を構成し、かつ前記接続傘骨３１を帽子３２の周囲に固定する。また傘本体の中心部設けられた上ロクロ２４と、前記上ロクロ２４に案内されて移動する下ロクロ２５と、前記下ロクロと傘骨を接続する複数の支持傘骨と、を備えるものにおいて、前記下ロクロの移動により、傘骨の開閉と同期して、接続傘骨を下ロクロを中心に移動させても良い。【選択図】図４
0003161777.tif 000002
【実用新案登録請求の範囲】
【請求項１】
傘骨と布からなる傘本体と、前記傘本体を支える複数の接続傘骨と、前記接続傘骨を帽子の周囲に固定したことを特徴とする手ぶら傘。
【請求項２】
傘本体の中心部設けられた上ロクロと、前記上ロクロに案内されて移動する下ロクロと、前記下ロクロと傘骨を接続する複数の支持傘骨と、前記下ロクロの移動により、傘骨の開閉と同期して、接続傘骨を下ロクロを中心に移動させる請求項１記載の手ぶら傘。
【請求項３】
上ロクロに接続され、下ロクロ内部を通過して、外部に伸ばされた紐を設け、前記紐の操作によって傘を開閉する請求項１，２記載の手ぶら傘。
【請求項４】
下ロクロの軸方向に設けられた溝と、紐の途中に設けられた突起体とを備えたことを特徴にする、請求項３記載の手ぶら傘。
【考案の詳細な説明】
【技術分野】
【０００１】
本考案は、アタッチメントが不要で大型の傘半径でも機能する、手ぶら方式の傘に関するものである。
【背景技術】
【０００２】
江戸時代には三度笠という頭部にかぶる形の傘があり、また、現在は帽子のつばが広いもので日よけや、雨傘の代わりになるものがある。
また、実用新案の公開資料には本考案に類似の機構として支柱が無い傘の資料が有るも、開閉機構部分がプッシュ方式のために傘径の大きなものには対応が無理と判断できる。
【０００３】
根拠は外側から支柱部を手で押さえ反対側の手で別のプッシュ側を押さえるには傘半径が５０ｃｍ以下でない限り両手で傘の布を挟んで操作すると考える方式は操作が難しく、また、壁などの固定物に支柱の外側を押し付けてプッシュ側をはめ込み、初めて開くことが可能となる方式と見受けられる。
【０００４】
また、頭に取り付ける部分がベルト状であり、ズレ、外れには防御機構が弱いものであり、本格的に使おうとする雨傘や日よけ傘向けと位置付けるには不向きと考える。  すなわち、かぶる部分に関しても頭部に巻くベルト状の帯に傘から伸びる懸垂架を通すか貼り付ける仕様になっている。
すなわち、小さな日よけや頭部のみの雨よけに使う局部のサポート用に限るものと見做せる。
【先行技術文献】
【特許文献】
【０００５】
【特許文献１】実開昭５０−１１２３２７号  公報
【特許文献２】特開２００６−３４６２４４号  公報
【考案の概要】
【考案が解決しようとする課題】
【０００６】
従来の雨傘や日よけ傘では片手が完全にふさがり、両手作業をする場合レインコートを着ても体全体をぬらすことになる。
また、頭部で支える方式の傘もあるが傘の支持方式が軟弱で大型には向かなかった。すなわち、機構的に見て５０cm以下の両手で傘の布を中心に内側と外側から中心部を支えて凹凸をかん合させるものであった。
【０００７】
また、頭部にかぶる方式に関してもベルトで頭に巻く形式であり、ズレや揺れに弱く大型の傘には不向きなものとなっている。
【課題を解決するための手段】
【０００８】
従来の傘骨と布を持って雨をよける方式は同様であるが,人体が傘を支持する方法に手で持つか、頭にかぶるかの手段を変えた。
すなわち頭部に付けること（かぶること）により両手をフリーにした。
この手法がために、傘骨と布からなる傘本体に対して、帽子の周囲に付けた複数の傘骨を固定し、傘本体の中心に設けられた上ロクロと、上ロクロに案内されて移動する下ロクロと、傘骨を接続する複数の支持傘骨との交差する部分に、帽子の周囲に固定した傘骨を追加して接続し、傘骨の開閉と同期して、接続傘骨を下ロクロを中心に帽子を移動させることで動作させる機構。
また、上ロクロに接続され、下ロクロの内部を通過して、外部に伸ばされた紐を設け、前記紐の操作により傘を開閉する手段を設けた、また、したロクロの軸方向に設けられた溝と、紐の途中に設けられた突起体とを備えたことを特徴にした。
【考案の効果】
【０００９】
傘本体に、複数の傘骨をしっかり固定した帽子を接続することにより、大きな傘を支持することが可能になった。
また、傘の上ロクロの接続傘骨と下ロクロの接続傘骨を持って開閉するために上ロクロに取り付けた紐を、下ロクロを通過させ、下ロクロの軸方向の溝に紐の途中（従来の傘開閉固定位置に相当）に脱着させる突起体を取り付け、下ロクロを、前記紐を引くことで上下させ、従来の傘の支柱と同等の役目を果たすことが出来た。
雨天や日光の強い中で、両手作業ができる従来にない操作性を提供できる。すなわち、雨傘のみならず日傘用にも利用でき、働く人の傘、弱者の傘としての活用が図れるようになる。
【図面の簡単な説明】
【００１０】
【図１】本考案を示す従来傘と手ぶら傘の概念的な利用スタイル
【図２】手ぶら傘の平面
【図３】手ぶら傘の正面
【図４】手ぶら傘の左右の傘骨を残した透視
【図５】従来傘のハネ止め機構図
【図６】ロクロ関係と組み紐ポイント拡大指定図
【図７】上ロクロと短支柱の拡大（A部拡大）
【図８】組み紐部分の拡大（C部拡大）
【図９】下ロクロとU字溝（B部拡大）
【図１０】帽子拡大ポイント指定図
【図１１】帽子（キャップ）の詳細（D部展開図）
【図１２】帽子を傘本体に接続ポイント拡大指定図
【図１３】帽子と傘本体接続箇所（E部拡大）
【図１４】帽子接続用傘骨のリベット接続（F部拡大）
【図１５】帽子接続用傘骨（E部展開図）
【考案を実施するための形態】
【実施例１】
【００１１】
本考案は手ぶら傘を実現する方式を2段折傘、3段折傘を事例に上げ適用して有効なものに関するもの。
図１では概略を示したもので従来の傘では片手がふさがり、頭にかぶることで両手が空くという概念を示している。
続いて、図２は傘を上部から見たものと、図３は横から見たもの、ならびに、図４は左右の傘骨を残し透視的に展開した物を参照願いたい。
折りたたみ傘のくびれ部分を表現した２１、傘の側面から覗く頭部の被り部分２２、また、透視図では左右の傘骨23を特長として表現した。
折り畳み傘を基本にして、本手ぶら傘を構築しており、一般的に出回っている２段折、３段折傘の基本を損なわず、支柱部分を柔軟性のある素材に変更し、傘全体の支持部を頭部にかぶる帽子３２がつかさどる方式として形成した。
【００１２】
図4をもとにして機構を紹介。
傘の支柱部分を無くし、しかも傘の半径の大きなものも無理なく開閉できる機構を形成するには、半径５０，６０，７０cm傘は支柱により傘の開閉操作部（以降：下ロクロ）２５を押し上げる操作で傘を開いてロックをかける機構と同等の機能を必要とする。  固形の支柱を柔軟な素材に変更するには繊維の紐や、ビニール系の螺旋状紐などの材料が必要となり、本考案は組み紐２８を従来の金属が中心の傘固形支柱の代替として実現した構築事例。
【００１３】
まず、傘の本体部すなわち傘の開閉駆動の上側（以降：上ロクロならびに短支柱）２４は、下ロクロ２５が押し上げられて組み紐２８につけられたロック用のビーズ玉（突起体）２７が開いた状態で止める役目をつかさどる。  なお上ロクロならびに短支柱２４の短支柱部分は下ロクロ２５の下には支柱が出ず、紐のしなやかさが享受できる長さが望ましい。
開発した実例では上ロクロの下方から測定し約３cmであるが、傘の構造で差異はある。
【００１４】
構造を拡大し詳細を説明。図６、図７、図８、図９、を参照。
図７のA部拡大の短支柱３４には太さ７ｍｍほどのロック用ビーズ玉を取り付けた組み紐２８を末端が解けず、引っ張りに耐える加工を施し、本短支柱の金属パイプ穴に差込み短支柱横穴３５を用い、ロック用の釘で固定する。  図８のC部拡大の組み紐締結用かしめ部分３６が相当しパイプ穴より少し細めに糸や細い針金で巻き接着加工した強靭な加工が望ましい。
【００１５】
図８のC部拡大を参照し、直径７ｍｍほどのロック用ビーズ玉３７を取り付けた紐２８には紐を最も強く引いた時の直径の等しい穴が開いたビーズ玉３７を傘が開いた時の支柱として止める位置に固定する。なお、簡単には結び目で代用も良い。
また、ビーズ玉３７の外形は傘の開閉側下ロクロ２５の中空円筒部分をスムーズに通過する大きさのこと。
また、ビーズ玉を紐に固定する方法に関してはビーズ玉拡大３７に横穴を穿ち瞬間接着剤を流し込み固定する方法などで実現。
本構造は支柱が長い傘のハネ止め機構図５の３３に相当する。
【００１６】
図９のＢ部拡大、図８のＣ部拡大を参照し、下ロクロ２５部分に関しては太さ７mmの紐が通り、８ｍｍ程の球体で止めれる程度のU字溝詳細３８の刻み目を入れることで、組みひもを下ロクロの穴を上から下に通すことで、ビーズ球拡大３７とこの穿ったU字型詳細３８の掘り込み部分がロック機構となる。
なお、外すときは組み紐を下ロクロ２５を持ち組み紐をまっすぐ下に引き下げれば外れることになる。
【００１７】
次に、図１０帽子拡大ポイント指定図、図１１帽子の詳細  D部展開図を用いて構造を紹介。
図１１のA平面図つば部分をカット４０するのは折りたたみに適すること、即ち、曲げやすく、また、傘内に利用することより日よけ機能は不要と考えた故であり、ただし、少しのつば形状を残すのは、頭部への脱着や細かな位置決めに際してつかむ部分を確保するため。
帽子上部の開放穴３９に関しては組み紐２８と、下ロクロ２５を各々の手で持ち操作する時の下ロクロ２５を手で支えるための穴となる。
無論、傘骨の隙間から下ロクロ２５を支えて組み紐２８も傘骨の間を通し操作するようにすれば、帽子上部の穴を無くしても操作上は問題なく動作することも考えられる。
【００１８】
あご紐（ストラップ）２９部分に関しては一般的な紐またはリボンと、あご紐（ストラップ）スライド固定具３０を採用する。
なお、あご紐（ストラップ）スライド固定具３０に関しては大人：１５Kg、子供：１０Kg.レベルを妥当としてロック機構内部のバネ係数（利用バネの素材を変える）を変更することで対応をする。
計測はバネ秤を用いて引っ張り強さを計測し妥当とした。
【００１９】
図１２、図１３、図１４、ならびに、図１５を用いて帽子と傘の接続に関してポイントを説明。
まず前述の図4の透視図では帽子接続用傘骨３１として簡単に紹介している。
一般的な傘骨は8本であり、帽子に8か所の帽子接続押用傘骨E部展開図をリベット止めする。  
リベット止めには図１４F部拡大を参照し帽子（キャップ）の円周をほぼ等分に８分割し帽子後方の頭部の大きさを調整する機構部４０ａを避けた範囲で帽子に締結する。
図１５のE部展開図にリベット穴４５を用いて、帽子にリベット止めする。なお、傘骨の保持と帽子の強度を考慮し、帽子の裏にはとも布等による裏打ちを必要な個所に施すものとする。
なお、帽子接続傘骨のリベット穴４６の２箇所で帽子に止める。
【００２０】
傘骨による帽子と傘本体接続箇所図１３のＥ部拡大は帽子に固定した8か所の傘骨が傘の本体に接続する例を示し、傘の折りたたみ用として構造化されている上ロクロから延びる傘骨４１と、下ロクロから伸びる傘骨４２が結合されている屈伸部分４４に、帽子（キャップ）からの傘骨４３を追加して錆に強い針金４５で結合させる。
【００２１】
屈伸部分４４の接続には一般的な傘自体穴あきリベットで結合しているのが常套で、帽子（キャップ）からの傘骨４３の追加接続には、従来から有る穴あきリベットの空間部分を有効に利用し、錆びないステンレス系等の針金４５を通して結えつけるものとする。
本ステンレスの太さは０．８ｍｍが望ましい。
【００２２】
帽子（キャップ）からの傘骨４３に関しては５０ｃｍ、６０ｃｍ、７０ｃｍの傘半径サイズに左右されるが、傘の布部分が視界を遮らない高さを維持する必要があり、おおむね２０ｃｍが望ましい。
【産業上の利用可能性】
【００２３】
帽子をヘルメットにすることで、雨天での工事現場での身体の濡れ防止や、立番をする要員の身体保護に使え、また、日傘に対してもヘルメット化が考えられ、日射防止に役立つ。
【符号の説明】
【００２４】
２３  両側の傘骨を残した透視図
２４  傘の開閉駆動の上側（上ロクロならびに短支柱と呼ぶ）
２５  傘の開閉駆動の下側（下ロクロと呼ぶ）
２６  下ロクロに開けたU字溝
２７  組み紐に取り付けたビーズ玉
２８  組み紐（エプロンコードとも呼ばれる）
２９  あご紐（ストラップ）
３０  あご紐（ストラップ）スライド固定具
３１  帽子（キャップ）接続傘骨
３２  帽子（キャップ）
３３  金属柄のハネ止め機構
３４  上ロクロ接続の短支柱
３５  短支柱横穴
３６  組み紐締結用かしめ部分
３７  組み紐に通したビーズ玉拡大
３８  下ロクロU字溝詳細
３９  帽子（キャップ）上部開放穴
４０  帽子（キャップ）切り詰めたつば
４１  上ロクロからの傘骨
４２  下ロクロからの傘骨
４３  帽子（キャップ）からの傘骨
４４  締結交差部分
４５  錆に強い針金
４６  傘骨のリベット穴
【図１】
0003161777.tif 000003
【図２】
0003161777.tif 000004
【図３】
0003161777.tif 000005
【図４】
0003161777.tif 000006
【図５】
0003161777.tif 000007
【図６】
0003161777.tif 000008
【図７】
0003161777.tif 000009
【図８】
0003161777.tif 000010
【図９】
0003161777.tif 000011
【図１０】
0003161777.tif 000012
【図１１】
0003161777.tif 000013
【図１２】
0003161777.tif 000014
【図１３】
0003161777.tif 000015
【図１４】
0003161777.tif 000016
【図１５】
0003161777.tif 000017
【手続補正書】
【提出日】平成22年6月8日(2010.6.8)
【手続補正１】
【補正対象書類名】実用新案登録請求の範囲
【補正対象項目名】全文
【補正方法】変更
【補正の内容】
【実用新案登録請求の範囲】
【請求項１】
傘骨と布からなる傘本体と、前記傘本体を支える複数の接続傘骨と、を備えた手ぶら傘であって、前記接続傘骨を帽子の周囲に固定したことを特徴とする手ぶら傘。
【請求項２】
傘本体の中心部設けられた上ロクロと、前記上ロクロに案内されて移動する下ロクロと、前記下ロクロと傘骨を接続する複数の支持傘骨と、を備え、前記下ロクロの移動により、傘骨の開閉と同期して、接続傘骨を下ロクロを中心に移動させることを特徴とする請求項１記載の手ぶら傘。
【請求項３】
上ロクロに接続され、下ロクロ内部を通過して、外部に伸ばされた紐を設け、前記紐の操作によって傘を開閉する請求項１または２記載の手ぶら傘。
【請求項４】
下ロクロの軸方向に設けられた溝と、紐の途中に設けられた突起体とを備えたことを特徴にする、請求項３記載の手ぶら傘。